(57)【要約】      （修正有）【課題】一般に左右方向及び前後方向が対称となるように作られているグラススキー両脚の平行な操作を容易にし、滑走性能及び操作性能の向上が可能なグラススキーの提供。【解決手段】グラススキー１は環状のレール２と、レール２を整形保持し、かつ、ステップ台３ａを取り付けるベース３と、レール２上に配置されて複数のローラ７を支持する複数のエレメント４と、エレメント４を一定間隔に保持するベルト５と、エレメント４とベルト５を固定する複数のプレート６とからなり、左右一対で使用される。グラススキー１の進行方向に対して左右内側端部の高さを外側端部の高さより大きくして、それぞれのグラススキー１の内側端部の高さが外側端部の高さより大きくなるようにする。ステップ台３ａはグラススキー１の前後方向中心より後方に配置する。【選択図】図１
2014087519.tif 000002
【特許請求の範囲】
【請求項１】
環状のレールと、レールを整形保持し、かつ、ステップ台を取り付けるベースと、前記レール上に配置されて複数のローラを支持する複数のエレメントと、前記エレメントを一定間隔に保持するベルトと、エレメントとベルトを固定する複数のプレートとからなる左右一対のグラススキーであって、グラススキーの進行方向に対して左右内側端部の高さを外側端部の高さより大きくして、それぞれのグラススキーの内側端部の高さが外側端部の高さより大きなるようにしたグラススキー。
【請求項２】
請求項1のグラススキーにおいて、環状のレールと、レールを整形保持し、かつ、ステップ台を取り付けるベースと、前記レール上に配置されて複数のローラを支持する複数のエレメントと、前記エレメントを一定間隔に保持するベルトと、エレメントとベルトを固定する複数のプレートとからなる左右一対のグラススキーであって、ステップ台をグラススキーの前後方向中心より後方に配置したグラススキー。
【請求項３】
請求項1または請求項2のグラススキーにおいて、環状のレールと、レールを整形保持し、かつ、ステップ台を取り付けるベースと、前記レール上に配置されて複数のローラを支持する複数のエレメントと、前記エレメントを一定間隔に保持するベルトと、エレメントとベルトを固定する複数のプレートとからなる左右一対のグラススキーであって、ステップ台をグラススキーの前後方向中心より後方に配置し、かつ、グラススキーの進行方向に対して左右内側端部の高さを外側端部の高さより大きくして、それぞれのグラススキーの内側端部の高さが外側端部の高さより大きくなるようにしたグラススキー。
【請求項４】
請求項１から請求項３の何れかのグラススキーにおいて、進行方向に対して左右内側端部の高さを外側端部の高さより大きくしたグラススキー用プレート。
【請求項５】
請求項１から請求項４の何れかのグラススキーにおいて、進行方向に対して左右内側端部の高さを外側端部の高さより大きくしたグラススキー用エレメント。
【請求項６】
請求項１から請求項５の何れかのグラススキーにおいて、進行方向に対して内側ローラを内側ローラより大きくしたグラススキー用エレメント。
【発明の詳細な説明】
【技術分野】
【０００１】
この発明はスポーツ及び遊戯用具であるグラススキーに関するものである。
【背景技術】
【０００２】
グラススキーは環状のレールと、レールを整形保持し、かつ、ステップ台を取り付けるベースと、前記レール上に配置されて複数のローラを支持する複数のエレメントと、前記エレメントを一定間隔に保持するベルトと、エレメントとベルトを固定する複数のプレートとからなり左右一対で使用される。前記グラススキーは一般に左右方向及び前後方向が対称となるように作られている。
【先行技術文献】
【特許文献】
【０００３】
【特許文献１】特開２００５−０６６３３５号公報
【発明の概要】
【発明が解決しようとする課題】
【０００４】
グラススキーはアルペンスキーに比べてズレが少なく、スムーズな滑走を行うためには両脚を平行に操作する必要が有る。しかし、グラススキーには組み立て構造上荷重点におけるクリアランスが存在する操作上の不都合も有り、初心者やX脚と言われる身体特性を有する使用者はこの、グラススキー両脚の平行な操作がより難しく習得に時間がかかる。
この発明は上記のような課題を解決するためになされたもので、滑走性能及び操作性能を向上させる事を目的とする。
【課題を解決するための手段】
【０００５】
上記の目的を達成するために、請求項１記載の発明において、グラススキーの進行方向内側の高さを外側より大きくすることにより、使用者が脚部を平行に保つ事が容易になる。
請求項２記載の発明において、スキーのフロント側が長くなることにより、地面とグラススキー先端部の間隔が広く取れるようになる。
請求項３記載の発明において、グラススキーの進行方向内側の高さを外側より大きくすることにより、使用者が脚部を平行に保つ事が容易になり、かつ、スキーのフロント側が長くなることにより、地面とグラススキー先端部の間隔が広く取れるようになる。
請求項４記載の発明において、プレートの形状を変更する事により、グラススキーの進行方向内側の高さを外側より大きくする。
請求項５記載の発明において、エレメントの形状を変更する事により、グラススキーの進行方向内側の高さを外側より大きくする。
請求項６記載の発明において、ローラの形状を変更する事により、グラススキーの進行方向内側の高さを外側より大きくする。
【発明の効果】
【０００６】
以上説明したように、請求項１記載の発明は、グラススキースキーの操作の妨げになる身体的な不都合を補正する効果があり、ターンの始動が容易になる。
請求項２記載の発明は、グラススキーのトップ側への荷重が容易となるほか、斜面の凹凸に対してより安定した滑走が可能となる。
請求項３記載の発明は、請求項１記載の発明の効果に加えて、請求項２記載の発明の効果があるため、より滑走性能及び操作性能が向上する。
請求項４記載の発明は、プレートの形状を変更することにより請求項１同様の効果が得られる。
請求項５記載の発明は、エレメントの形状を変更することにより請求項１同様の効果が得られる。
請求項６記載の発明は、ローラの形状を変更することにより請求項１同様の効果が得られる。
【図面の簡単な説明】
【０００７】
【図１】本発明の一実施形態のグラススキーの外形図である。
【図２】グラススキーの駆動部の構成を示す分解斜視図である。
【図３】グラススキーのプレートの外形図、断面図及び斜視図である。
【図４】グラススキーのエレメントの外形図及び斜視図である。
【図５】グラススキーの縦断面図である。
【図６】グラススキーの使用状態を示す参考図である。
【図７】グラススキーの使用状態を示す参考図である。
【図８】グラススキーの使用状態を示す参考図である。
【図９】グラススキーのエレメントに関する別の実施形態を示す図である。
【図１０】グラススキーのローラに関する別の実施形態を示す図である。
【図１１】従来の一実施形態のグラススキーの外形図である。
【発明を実施するための形態】
【０００８】
以下添付図面を参照しながら本発明の一実施形態について説明する。
図１に示すようにグラススキー１は環状のレール２とレールを整形保持し、かつ、ステップ台３ａを取り付けるベース３と、前記レール２上に配置されて複数のローラ７を支持する複数のエレメント４と、前記エレメント４を一定間隔に保持するベルト５とエレメント４とベルト５を固定する複数のプレート６からなり、左右一対で使用される。
【０００９】
グラススキーの駆動部は図２に示すように構成される。
環状レール２は凹状の連結部２ａの両端に滑走面２ｂを有する。
ローラ７が取り付けられたエレメント４は摺動面８ａを有するサイドガイド８と共に、環状レール２を挟み込むように組み立てられる。
エレメント４は円柱状凸部４ｃを有し、ベルト５に開けられた穴部５ａを貫通してプレート６の穴部６ｃに嵌挿され固定される。
【００１０】
図３に示すようにプレート６の内側エッジ部６ａの高さT1は外側エッジ部６ｂの高さT2より高くなっており、中央の接地部６ｆも内側エッジ部６ａから外側エッジ部６ｂに向かって傾斜を有している。
また、図３(D)に示すようにプレートの前端部６ｅの曲面形状Ｒ２は後端部の曲面形状Ｒ１に比べて大きくなっており滑走時の接地抵抗を少なくする形状となっている。
また、プレートの背面には凸部６ｇが設けられておりベルトの左右端部を保護し、横ずれを防止する構造となっている。
また、エレメントの凸部が嵌挿される穴部６ｃの周囲にはベルトをエレメントにためのＥリングを使用する際の収納部となる円形凹部６hが設けられており、Ｅリング使用時にもプレート６が浮き上がらない形状になっている。
また、プレートを軽量化するために複数の凹部６ｉが設けられている。
【００１１】
図４及び図５に示すようにエレメント４には複数のローラ６及び取り外し可能なサイドガイド８が取り付けられている。
ローラ６は固定軸６ａ及びワッシャー６ｂとともにエレメント本体に回転自在に組み込まれる。
サイドガイド８はエレメント４の側壁４ｂに設けられた複数の嵌合穴部４ｂに対応する複数の凸部８ｃ及び保護ビニールを係止するための複数の係止部８ｂを有しており、エレメント４をレール２上に設置した後にエレメント４を摺動自在に保持する。
この組み立て構造からレール２とサイドガイド８の摺動面８ａの間にはクリアランスCが必要となる。
【００１２】
図６は初期状態におけるグラススキーの状態を示すものである。滑走開始時にはこの図に示すように脛部Ｓが開いた状態になる。この状態では前記クリアランスＣは従来と変わらない。
【００１３】
図７は滑走開始後の状態を示すものである。滑走速度が上がるとこの図に示すように脛部Ｓを平行に保った状態でバランスを取る事が出来るようになる。荷重は片側のローラと反対側のサイドガイドに作用するため前記クリアランスＣは解消される。
【００１４】
図８は旋回動作時の状態を示すものであるが、滑走開始後に前記クリアランスＣが解消されているために軸の傾け動作が時差なしにプレート滑走面に作用するため従来に比べてレスポンスの良い滑走感覚が得られるようになる。
図１(Ａ)ではグラススキーの正面図を示しているが図１１(Ａ)の従来例に比べステップ台の中心位置がグラススキーの中心より後方に位置している。これにより同じ回転半径に設計されたグラススキーでは前端部の高さH１が後端部の高さH２より大きくすることが出来るため、滑走斜面の凹凸に対する吸収能力が向上してよりスムーズな滑走が可能となる。
【符号の説明】
【００１５】
１  グラススキー
２  環状レール
３  ベース
３ａ  ステップ台
４  エレメント
５  ベルト
６  プレート
７  ローラー
Ｃ  クリアランス
８  サイドガイド
【図１】
2014087519.tif 000003
【図２】
2014087519.tif 000004
【図３】
2014087519.tif 000005
【図４】
2014087519.tif 000006
【図５】
2014087519.tif 000007
【図６】
2014087519.tif 000008
【図７】
2014087519.tif 000009
【図８】
2014087519.tif 000010
【図９】
2014087519.tif 000011
【図１０】
2014087519.tif 000012
【図１１】
2014087519.tif 000013
【手続補正書】
【提出日】平成25年5月7日(2013.5.7)
【手続補正１】
【補正対象書類名】特許請求の範囲
【補正対象項目名】全文
【補正方法】変更
【補正の内容】
【特許請求の範囲】
【請求項１】
環状のレールと、レールを整形保持し、かつ、ステップ台を取り付けるベースと、前記レール上に配置されて複数のローラを支持する複数のエレメントと、前記エレメントを一定間隔に保持するベルトと、エレメントとベルトを固定する複数のプレートとからなる左右一対のグラススキーであって、前記プレートを進行方向に対して左右内側端部の高さを外側端部の高さより大きくすることにより、それぞれのグラススキーの内側端部の高さが外側端部の高さより大きなるようにしたグラススキー。
【請求項２】
請求項1において、環状のレールと、レールを整形保持し、かつ、ステップ台を取り付けるベースと、前記レール上に配置されて複数のローラを支持する複数のエレメントと、前記エレメントを一定間隔に保持するベルトと、エレメントとベルトを固定する複数のプレートとからなる左右一対のグラススキーであって、ステップ台をグラススキーの前後方向中心より後方に配置することにより、前端部の高さを後端部の高さより大きくして、操作性を向上させたグラススキー。
【請求項３】
請求項1または請求項2の何れかのグラススキーに用いられるプレートであって、進行方向に対して左右内側端部の高さを外側端部の高さより大きくしたグラススキー用プレート。
【請求項４】
請求項1または請求項2の何れかのグラススキーに用いられるグラススキー用エレメントであって、進行方向に対してエレメントの左右内側端部の高さを外側端部の高さより大きくしたグラススキー用エレメント。
【請求項５】
請求項1または請求項2の何れかのグラススキーに用いられるグラススキー用エレメントであって、進行方向に対して内側ローラの外形を内側ローラの外形より大きくしたグラススキー用エレメント。